(57)【要約】【課題】量産に適したポップ−プッシュ機構又はプッシュ−プッシュ機構を実現することが可能なイジェクト機構及びイジェクト機構を備えるカードコネクタを提供する。【解決手段】イジェクト機構４０は、フレーム２０の外側面に固定されるカバー部材５０と、カバー部材５０内をカードＣの挿抜方向に摺動可能な押圧バー６０と、カバー部材５０に固定されるカム溝板７０と、カム溝板７０の側面に形成されたハート形のカム溝７１と押圧バー６０に配設されカム溝に嵌合するカムピン６３ａとからなるカム機構と、カムピン６３ａが挿通される孔部８２を有し、押圧ボタン６７を押圧する際に、孔部８２に挿通されたカムピン６３ａにより押圧されて移動し回動アーム３０を回動させる押圧プレート８０とを備える。【選択図】図２
2008218007.tif 000002
【特許請求の範囲】
【請求項１】
コンタクトを保持するハウジングと、該ハウジングに取り付けられ、カードを挿抜可能に案内するフレームと、前記ハウジングに回動可能に配設され、回動により前記カードを抜出側に排出する回動アームとを有するコネクタに備えられ、前記カードの排出時に前記回動アームを回動させるイジェクト機構であって、
前記フレームの外側面に固定されるカバー部材と、
押圧ボタンを有し、前記カバー部材内を前記カードの挿抜方向に摺動可能な押圧バーと、
前記カバー部材に固定されるカム溝板と、
前記カム溝板の側面に形成されたハート形のカム溝と、前記押圧バーに配設され、前記カム溝に嵌合するカムピンとからなるカム機構と、
前記カムピンが挿通される孔部を有し、前記押圧ボタンを押圧する際に、前記孔部に挿通された前記カムピンにより押圧されて移動し、前記回動アームを回動させる押圧プレートとを備えることを特徴とするイジェクト機構。
【請求項２】
前記孔部には、前記カードが所定位置に挿入されたときに、前記カムピンが前記カム溝に沿って移動することを可能にする規制凸部が形成されていることを特徴とするイジェクト機構。
【請求項３】
請求項１又は２記載のイジェクト機構を備えることを特徴とするカードコネクタ。
【発明の詳細な説明】
【技術分野】
【０００１】
本発明は、カードコネクタのイジェクト機構及びイジェクト機構を備えるカードコネクタに関する。
【背景技術】
【０００２】
従来、イジェクト機構を備えるカードコネクタとして、例えば、図１１に示すものが知られている（特許文献１参照）。
図１１は、特許文献１に係るカードコネクタを示し、（Ａ）は平面図、（Ｂ）は左側面図、（Ｃ）は正面図である。図１２は、図１１に示すカードコネクタの主要部を示し、（Ａ）は一部平面図、（Ｂ）は一部左側面図、（Ｃ）は押圧バーを取り除いた一部左側面図である。
【０００３】
図１１及び図１２に示すカードコネクタ２００は、パーソナルコンピューター等の筐体（図示せず）に配設され、カードＣが挿入されるコネクタ部２１０と、カード排出手段２２０とを具備している。
コネクタ部２１０は、ハウジング２１１と、ハウジング２１１の長手方向両端に配設された、前方に向けて突出するガイドアーム２１２とを備えている。
【０００４】
カード排出手段２２０は、図１１（Ａ）及び（Ｂ）に示すように、コネクタ部２１０のハウジング２１１に回動可能に配置された回動アーム２２１と、ガイドアーム２１２の側面に沿ってカードＣの挿抜方向に移動可能な押圧バー２２３と、押圧バー２２３に回動可能に支持され、カードＣの排出時に回動アーム２２１を押圧して回動させる押圧プレート２２５とを具備している。
【０００５】
回動アーム２２１は、ハウジング２１１内に回動可能に配置され、ハウジング２１１内部の一端部に、挿入されたカードＣに接触するカード接触部（図示せず）を備え、ハウジング２１１外部の他端部に、押圧プレート２２５の後述する押圧部２２５ｂに接触するプレート接触部２２２を備えている。そして、回動アーム２２１は、回動により、挿入されたカードＣを抜出側に排出するようになっている。
【０００６】
押圧バー２２３は、図１１（Ｂ）に示すように、ガイドアーム２１２の外側面に沿ってカードＣの挿抜方向に移動可能に配設されている。押圧バー２２３の中央部には、補強リブ２２３ｃが前後方向に延在している。また、補強リブ２２３ｃの後方側には、長穴２２３ａが設けられている。この長穴２２３ａの前端部には、長穴２２３ａよりも径の大きな丸穴２２３ｂが形成されている。押圧バー２２３の前端部には、押圧バー２２３の押圧操作を可能とするための押圧ボタン２２４が設けられている。押圧ボタン２２４とガイドアーム２１２との間には、押圧バー２２３を前方へ常時引っ張るための引張ばね２２８が設けられている。
【０００７】
押圧プレート２２５は、図１２（Ｃ）に示すように、押圧バー２２３の内側に沿って配置されている。押圧プレート２２５の前後方向中央部には、外側に向けて突出するＬ字形状の支持部２２５ａが折り曲げ形成されている。支持部２２５ａは、押圧バー２２３に形成された丸穴２２３ｂに入り込み、支持部２２５ａの先端が押圧バー２２３の長穴２２３ａ上に位置する。これにより、押圧プレート２２５は、押圧バー２２３に対して回動可能に支持される。また、押圧プレート２２５の後端部には、カードＣの排出時に回動アーム２２１のプレート接触部２２２に接触する押圧部２２５ｂが形成されている。更に、押圧プレート２２５の前端部は、やや内側に傾斜し、その先端にフランジ付きのカムピン２２５ｃが内側に突出するように取付けられている。
【０００８】
ガイドアーム２１２の外側面には、図１１（Ｂ）に示すように、カムピン２２５ｃが嵌合するカム溝２２６が形成されている。カム溝２２６は、ハート形のループ状に形成されている。
ガイドアーム２１２の外側面に形成されたハート形のカム溝２２６と、カム溝２２６に嵌合するカムピン２２５ｃとでカム機構が構成される。そして、このカム機構により、押圧バー２２３及び押圧プレート２２５の前方（カードＣの抜出側）への引出動作と押圧バー２２３及び押圧プレート２２５の後方（カードＣの挿入側）への押圧動作とを不可逆にしている。
【０００９】
また、回動アーム２２１のプレート接触部２２２近傍には、図１２（Ａ）に示すように、押圧バー移動規制プレート２２７が取り付けられている。押圧バー移動規制プレート２２７は、押圧プレート２２５の内側に前後方向に移動可能に配設される。押圧バー移動規制プレート２２７は、前後方向に延びる基板部２２７ａを備えている。基板部２２７ａの後方部には、回動アーム２２１が入り込む開口２２７ｂが形成されている。また、基板部２２７ａの前方部には、内側に折り曲げられてから徐々に縮幅するように前方斜め下方に傾斜する傾斜部２２７ｃが形成され、その傾斜部２２７ｃから前方に向けて規制部２２７ｄが形成されている。また、傾斜部２２７ｃ及び規制部２２７ｄは、ガイドアーム２１２の外側面上に位置している。規制部２２７ｄは、カードＣが回動アームのカード接触部に接触しないときには、カムピン２２５ｃのフランジ２２５ｄの側面に接触し、押圧プレート２２５の押圧バー２２３に対する時計方向への回動を阻止するようになっている。
【００１０】
カードコネクタ２００では、押圧ボタン２２４を有する押圧バー２２３の押圧操作により、押圧プレート２２５が押圧されて回動アーム２２１を回動させ、カードＣを排出することができる。
そして、カードが所定位置に挿入されたときに、押圧バー２２３の移動を規制する押圧バー移動規制プレート２２７を設けたことで、カードＣを所定位置まで挿入しなければ押圧ボタン２２４を筐体から突出することがない機構（以下では、ポップ−プッシュ機構と呼ぶ）を実現することが可能となる。
【特許文献１】特開２００６−４０６３４号公報
【発明の開示】
【発明が解決しようとする課題】
【００１１】
しかしながら、図１１に示すカードコネクタ２００では、ポップ−プッシュ機構を実現するための押圧バー移動規制プレート２２７の形状が複雑であるため、量産に適さないという問題がある。
また、カードコネクタ２００では、コネクタ部２１０のガイドアーム２１２の外側面にカム溝２２６が形成されているため、カード排出手段２２０の配置をハウジング２１１の長手方向逆側に変更する場合、コネクタ部２１０の設計変更が必要となる。したがって、カードコネクタ２１０では、ハウジング２１１に対するカード排出手段２２０の配置を、長手方向逆側に変更することが困難であるという問題がある。
【００１２】
ここで、カードコネクタでは、顧客により、ポップ−プッシュ機構ではなく、カードＣを所定位置まで挿入していない状態でも押圧ボタンを筐体から突出することができる、いわゆるプッシュ−プッシュ機構（以下、単にプッシュ−プッシュ機構という）が求められる場合がある。しかしながら、コネクタ２００では、プッシュ−プッシュ機構を実現するためには各部品を再設計する必要があるという問題がある。
【００１３】
本発明は上記した従来技術の問題点を解決するためになされたものであり、その目的は、量産に適したポップ−プッシュ機構又はプッシュ−プッシュ機構を実現することが可能なイジェクト機構及びイジェクト機構を備えるカードコネクタを提供することにある。
また、本発明の別の目的は、ハウジングに対する配置を長手方向逆側に変更することが可能なイジェクト機構及びイジェクト機構を備えるカードコネクタを提供することにある。
さらに、本発明の別の目的は、ポップ−プッシュ機構とプッシュ−プッシュ機構との変更を容易に行うことが可能なイジェクト機構及びイジェクト機構を備えるカードコネクタを提供することにある。
【課題を解決するための手段】
【００１４】
本発明の請求項１に係るイジェクト機構は、コンタクトを保持するハウジングと、該ハウジングに取り付けられ、カードを挿抜可能に案内するフレームと、前記ハウジングに回動可能に配設され、回動により前記カードを抜出側に排出する回動アームとを有するコネクタに備えられ、前記カードの排出時に前記回動アームを回動させるイジェクト機構であって、
前記フレームの外側面に固定されるカバー部材と、
押圧ボタンを有し、前記カバー部材内を前記カードの挿抜方向に摺動可能な押圧バーと、
前記カバー部材に固定されるカム溝板と、
前記カム溝板の側面に形成されたハート形のカム溝と、前記押圧バーに配設され、前記カム溝に嵌合するカムピンとからなるカム機構と、
前記カムピンが挿通される孔部を有し、前記押圧ボタンを押圧する際に、前記孔部に挿通された前記カムピンにより押圧されて移動し、前記回動アームを回動させる押圧プレートとを備えることを特徴とする。
【００１５】
また、本発明の請求項２に係るイジェクト機構は、請求項１記載のイジェクト機構において、前記孔部には、前記カードが所定位置に挿入されたときに、前記カムピンが前記カム溝に沿って移動することを可能にする規制凸部が形成されていることを特徴とする。
また、本発明の請求項３に係るカードコネクタは、請求項１又は２記載のイジェクト機構を備えることを特徴とする。
【発明の効果】
【００１６】
本願請求項１若しくは２に係るイジェクト機構又は本願請求項３に係るカードコネクタによれば、フレームの外側面に固定されるカバー部材と、押圧ボタンを有し、カバー部材内をカードの挿抜方向に摺動可能な押圧バーと、カバー部材に固定されるカム溝板と、カム溝板の側面に形成されたハート形のカム溝と、押圧バーに配設され、カム溝に嵌合するカムピンとからなるカム機構と、カムピンが挿通される孔部を有し、押圧ボタンを押圧する際に、孔部に挿通されたカムピンにより押圧されて移動し、回動アームを回動させる押圧プレートとを備える構成により、量産に適したポップ−プッシュ機構又はプッシュ−プッシュ機構を実現することが可能となる。
【００１７】
また、本願請求項１若しくは２に係るイジェクト機構又は本願請求項３に係るカードコネクタによれば、カム溝が形成されたカム溝板を独立して備える構成により、ハウジングに対する配置を長手方向逆側に容易に変更することが可能となる。
さらに、本願請求項１若しくは２に係るイジェクト機構又は本願請求項３に係るカードコネクタによれば、カムピンが挿通される孔部を有する回動アームを交換することで、ポップ−プッシュ機構とプッシュ−プッシュ機構との変更を容易に行うことが可能となる。
【発明を実施するための最良の形態】
【００１８】
次に本発明の実施形態を図面を参照して説明する。
図１は、本発明に係るイジェクト機構を備えたカードコネクタを示し、（Ａ）は平面図、（Ｂ）は右側面図、（Ｃ）は左側面図、（Ｄ）は正面図である。図２は、図１に示すカードコネクタに備えられるイジェクト機構の平面図である。図３は、図２に示すイジェクト機構に備えられるカバー部材を示し、（Ａ）は平面図、（Ｂ）は左側面図である。図４は、図２に示すイジェクト機構に備えられる押圧バーの本体部を示し、（Ａ）は平面図、（Ｂ）は左側面図である。図５は、図２に示すイジェクト機構に備えられる押圧バーの連結部を示し、（Ａ）は平面図、（Ｂ）は左側面図である。図６は、図２に示すイジェクト機構に備えられる押圧バーのカムピン部材の平面図である。図７は、図２に示すイジェクト機構に備えられるカム溝板を示し、（Ａ）は平面図、（Ｂ）は右側面図である。図８は、図２に示すイジェクト機構に備えられる押圧プレートを示し、（Ａ）は平面図、（Ｂ）は左側面図である。図９は、イジェクト機構の動作を示し、（Ａ）はカード挿入前の状態、（Ｂ）はカード挿入後の状態、（Ｃ）はイジェクトボタン押圧ボタンが筐体から突出した状態、（Ｄ）はカードが排出された状態を示している。図１０は、イジェクト機構の動作を示し、（Ａ）はカード挿入前の状態、（Ｂ）はカード挿入後の状態、（Ｃ）はイジェクトボタン押圧ボタンが筐体から突出した状態、（Ｄ）はカードが排出された状態を示している。
【００１９】
本発明に係るイジェクト機構は、主としてカードコネクタに備えられ、カードコネクタに挿入されたカードを排出するものである。
本実施形態では、本発明に係るイジェクト機構をカードコネクタ１に備えた場合を例にして説明する。
図１に示すカードコネクタ１は、パーソナルコンピューター等の筐体（図示せず）に配設され、コネクタ部１０と、金属フレーム（フレーム）２０と、イジェクト機構４０とを備えている。
【００２０】
コネクタ部１０は、長手方向（図１（Ａ）における左右方向）に延びる直方体形状のハウジング１１と、ハウジング１１の長手方向に沿って保持された複数のコンタクト１６とを備えている。
ハウジング１１は、絶縁性の樹脂を成形することによって形成される。ハウジング１１の長手方向各端部には、回路基板（図示せず）上に実装するための基板実装部１４が設けられ、各基板実装部１４には、取付ねじ用貫通孔１５が形成されている。
各コンタクト１６は、金属板を打抜き及び曲げ加工することによって形成され、回路基板１７に半田接続されるとともに、コネクタ部１０に挿入されたメモリカード等のカードＣに嵌合接触するようになっている。
【００２１】
金属フレーム２０は、ハウジング１１の前方（図１（Ａ）における下方）に配設される。金属フレーム２０は、平板頂板部２１と、平板底板部２２と、これら平板頂板部２１及び平板底板部２２を連結する一対の側壁部２３とを備える。そして、金属フレーム２０の平板頂板部２１、両側壁部２３及び平板底板部２２で囲まれた空間により、上下方向（図１（Ｄ）における上下方向）２段のダブルスロットＡ，Ｂを構成し、金属フレーム２０の両側壁部２３の内側面によりカードＣを挿抜可能に案内するようになっている。また、各側壁部２３には、図１（Ｄ）に示すように、カバー部材５０の嵌合片５２が嵌合される嵌合部２４が８つずつ設けられている。
【００２２】
イジェクト機構４０は、図１及び図２に示すように、回動アーム３０と、側壁部２３の外側面に沿って固定されるカバー部材５０と、カバー部材５０内を摺動する押圧バー６０と、カバー部材５０に固定されるカム溝板７０と、押圧バー６０と組み合わされ、カードＣの排出時に回動アーム３０を押圧して回動させる押圧プレート８０とを備える。
回動アーム３０は、ハウジング１１内に回動可能に配置される。回動アーム３０は、ハウジング１１内部の一端部に、挿入されたカードＣに接触するカード接触部（図示せず）を備え、ハウジング１１外部の他端部に、押圧プレート８０の後述する嵌合部８１が嵌合されるプレート嵌合部３１を備えている。回動アーム３０は、回動により、挿入されたカードＣを抜出側（前方、図１（Ａ）における下方）に排出するようになっている。
【００２３】
カバー部材５０は、図２及び図３に示すように、カードＣの挿抜方向（図２及び図３における上下方向）に延びる断面Ｃ字形状に構成され、金属板を打抜き及び曲げ加工することにより形成される。カバー部材５０の底面には、後述する引張ばね２８の一端部が掛けられるばね掛止片５１が曲げ形成されている。カバー部材５０の開口側各端面には、カバー部材５０を側壁部２３に取り付けるための嵌合片５２が２つずつ突出するように設けられている。また、カバー部材５０の開口側各端面には、カム溝板７０を取り付けるための爪部５３が２つずつ突出するように設けられている。カバー部材５０の後端部には、押圧プレート８０を支持する一対の支持片５４が曲げ形成されている。
【００２４】
押圧バー６０は、図２に示すように、カードＣの挿抜方向に延びる本体部６１と、本体部６１の後端部に配設された連結部６２と、連結部６２に取り付けられるカムピン部材６３とを備える。
本体部６１は、図４に示すように、断面Ｃ字形状に構成され、樹脂を熱成形加工することにより形成される。本体部６１の底面には、カバー部材５０の掛止片５１が挿通される挿通孔６４が設けられている。本体部６１の前端部には、押圧バー６０の押圧操作を可能とするための押圧ボタン部６７が形成されている。本端部６１の後端部には、底面との間で連結部６２の連結部６９を挟持する一対の挟持板６８が設けられている。
【００２５】
連結部６２は、図５に示すように、平板形状に構成され、金属板を打抜き及び曲げ加工することにより形成される。連結部６２の前端部には、後述する引張ばね２８の他端部が掛けられるばね掛止片６５が突出するように設けられている。連結部６２の前端部には、カムピン部材６３が嵌合されるカムピン嵌合孔６６が設けられている。また、連結部６２の前端部は、本体部６１の底面と両挟持板６８との間に挿入される平板形状の連結部６９が形成されている。
【００２６】
そして、本体部６１と連結部６２とは、本体部６１の底面と両挟持板６８との間に連結部６２の連結部６９が挿入されることにより一体に組み合わされる。
カムピン部材６３は、図６に示すように、カードＣの挿抜方向に延びる金属製の棒状体により形成されている。カムピン部材６３の前端部には、後述するカム溝７１に嵌合するカムピン６３ａが曲げ形成されている。カムピン部材６３の後端部には、連結部６２のカムピン嵌合孔６６に嵌合するＳ字形状の嵌合部６３ｂが曲げ形成されている。
【００２７】
そして、カムピン部材６３は、図２に示すように、嵌合部６３ｂをカムピン嵌合孔６６に嵌合することにより連結部６２に取り付けられる。この場合、カムピン部材６３は、カムピン嵌合孔６６から前方に延びるように取り付けられる。また、カムピン部材６３は、カムピン６３ａがカム溝板７０に向かって延びるように取り付けられる。
カム溝板７０は、図７に示すように、カードＣの挿抜方向に延びる板状体で形成され、樹脂を熱成形加工することにより形成される。カム溝板７０の側面には、図７（Ｂ）に示すように、カムピン６３ａが嵌合されるハート形のカム溝７１が形成されている。カム溝板７０の上下方向（図７（Ｂ）における左右方向）各端面には、図７（Ａ）に示すように、カバー部材５０の爪部５３が嵌合される嵌合凹部７７が２つずつ設けられている。
【００２８】
カム溝７１は、図７（Ｂ）に示すように、カム溝板７０のカードＣの挿抜方向中央部に形成された後側凹部７１ａと、その後側凹部７１ａから後方斜め下方（図７（Ｂ）における右方）に傾斜する第１直線状部７１ｂと、第１直線状部７１ｂの先端から一旦後方に延びてから前方に向けて延びる第２直線状部７１ｃとを備えている。また、カム溝７１は、第２直線状部７１ｃの前端から前方斜め上方（図７（Ｂ）における左方）の位置に形成された前側凹部７１ｄと、前側凹部７１ｄから後方に向けて延びる第３直線状部７１ｅと、第３直線状部７１ｅの後端から後側凹部７１ａに向けて延びる第４直線状部７１ｆとを備えている。したがって、カム溝７１は、ハート形のループ状に形成されている。
【００２９】
そして、カム溝板７０の側面に形成されたハート形のカム溝７１と、カム溝７１に嵌合するカムピン６３ａとでカム機構を構成し、このカム機構により、押圧バー６０の前方（カードＣの抜出側）への引出動作と押圧バー６０の後方（カードＣの挿入側）への押圧動作とを不可逆にしている。即ち、カムピン６３ａは、ループ状のカム溝７１を一つの向きに順次移動し、逆向きには移動しない。
【００３０】
押圧プレート８０は、図８に示すように、カードＣの挿抜方向に延びる板状体により形成され、金属板を打抜き及び曲げ加工することにより形成される。押圧プレート８０の後端部には、回動アーム３０のプレート嵌合部３１が嵌合される嵌合部８１が打抜き形成されている。押圧プレート８０の前端部には、押圧バー６０のカムピン部材６３のカムピン６３ａが挿通される規制孔（孔部）８２が打抜き形成されている。
規制孔８２は、図８（Ｂ）に示すように、カードＣの挿抜方向に延び、規制孔８２の後端部の上側には第一凸部８２ａが、規制孔８２の前端部の下側にはカムピン６３ａの移動を規制する第二凸部（規制凸部）８２ｂが設けられている。
【００３１】
そして、押圧バー６０は、図２に示すように、押圧ボタン部６７をカバー部材５０から前方へ突出した状態で、カバー部材５０の内側に配設される。この場合、押圧バー６０の挿通孔６４には、カバー部材５０の掛止片５１が挿通される。また、引張りばね２８の一端部が掛止片５１に掛けられ、引張りばね２８の他端部が掛止片６５に掛けられる。これにより、押圧バー６０は、カバー部材５０に対して常時前方に引っ張られた状態で、カバー部材５０の内側をカードＣの挿抜方向に摺動可能となっている。
【００３２】
また、カム溝板７０は、図２に示すように、カム溝７１を押圧バー６０側に向けた状態で、カバー部材５０の爪部５３が嵌合凹部７７に嵌合されることによりカバー部材５０に取り付けられる。この場合、押圧バー６０のカムピン部材６３のカムピン６３ａが、カム溝板７０のカム溝７１に嵌合される。
さらに、押圧プレート８０は、図２に示すように、カバー部材５０の両支持片５４により支持され、嵌合部８１をカバー部材５０から後方へ突出した状態で、カバー部材５０の内側に配設される。この場合、押圧プレート８０は、押圧バー６０とカム溝板７０との間に配設され、カムピン部材６３のカムピン６３ａが、押圧プレート８０の規制孔８２に挿通される。また、図１（Ａ）に示すように、回動アーム３０のプレート嵌合部３１が、押圧プレート８０の嵌合部８１に嵌合される。
そして、このようにして形成されたイジェクト機構４０は、カバー部材５０の各嵌合片５２が側壁部３３の各嵌合部２４に嵌合されることにより、金属フレーム２０に取り付けられる。
【００３３】
次に、イジェクト機構４０の作用を図９を参照して説明する。
カードＣの挿入前の状態では、回動アーム３０のプレート嵌合部３１が、最も後方に位置している。そして、プレート嵌合部３１が最も後方に位置することにともなって、押圧プレート８０が、最も後方に位置している。また、このとき、押圧バー６０（図９において図示せず）が後退位置にあり、押圧バー６０に配設されたカムピン６３ａは、図９（Ａ）に示すように、カム溝板７０のカム溝７１の後方凹部７１ａに位置している。このとき、押圧プレート８０の規制孔８２に設けられた第二凸部８２ｂの上面がカムピン６３ａの側面に接触し、カムピン６３ａの第１直線状部７１ｂへの移動が阻止される。これにより、押圧バー６０の前方への移動が阻止される。したがって、カードＣが挿入されていない状態では、押圧バー６０の押圧を阻止することができる。
【００３４】
次に、カードＣをハウジング１１に挿入すると、カードＣの後端部が回動アーム３０のカード接触部に接触し、図１に示すように、プレート嵌合部３１が前方に移動するように回動アーム３０が回動する。これに伴って、図９（Ｂ）に示すように、押圧プレート８０が前進する。これにより、押圧プレート８０の規制孔８２に設けられた第二凸部８２ｂの上面とカムピン６３ａの側面との接触が解除される。したがって、カムピン６３ａは、第１直線状部７１ｂへ移動することができる状態となる。このため、カードＣのハウジグ１１への挿入が完了したときに初めて、押圧バー６０を押圧することが可能となる。なお、カードＣのハウジグ１１への挿入が完了すると、コンタクト１６がカードＣと嵌合接触し、カードＣと回路基板１７とが電気的に接続されることになる。
【００３５】
そして、押圧バー６０を押圧すると、カムピン６３ａは、第１直線状部７１ｂに沿って、後方凹部７１ａから第２直線状部７１ｃの後端部へと移動する。この状態で押圧バー６０の押圧を中止すると、引張ばね２８の作用により、カムピン６３ａは、図９（Ｃ）に示すように、第２直線状部７１ｃに沿って、第２直線状部７１ｃの後端部から前側凹部７１ｄへと移動する。これにより、押圧バー６０の押圧ボタン６７が筐体から突出し、次工程でのカードＣの排出が可能となる。
【００３６】
そして、押圧バー６０を押圧すると、カムピン６３ａは、第３直線状部７１ｅに沿って移動し、カムピン６３ａの側面が、規制孔８２の第一凸部８２ａの前端面に接触する。
さらに、押圧バー６０を押圧すると、図９（Ｄ）に示すように、カムピン６３ａは、第３直線状部７１ｅの後端部へと移動する。この際、カムピン６３ａの側面が規制孔８２の第一凸部８２ａの前端面を押圧することにより、押圧プレート８０が後方に移動する。そして、押圧プレート８０が後方に移動することにともない、プレート嵌合部３１が後方に移動するように回動アーム３０が回動する。これにより、回動アーム３０のカード接触部が前方に移動してカードＣを押し出すことにより、ハウジング１１へ挿入されたカードＣがやや前方に排出される。
【００３７】
そして、カムピン６３ａが第３直線状部７１ｅの後端部に位置した状態で押圧バー６０の押圧を中止すると、引張ばね２８の作用により、カムピン６３ａは、図９（Ａ）に示すように、第４直線状部７１ｆに沿って、第３直線状部７１ｅの後端部から後側凹部７１ａへと移動する。
このようにイジェクト機構４０によれば、プッシュ−プッシュ機構を実現することが可能となる。
ここで、イジェクト機構４０では、押圧プレート８０に替えて、図１０に示す押圧プレート９０を備える構成としても構わない。
押圧プレート９０の基本的構成は押圧プレート８０と同様である。押圧プレート９０は、図１０に示すように、規制孔８２に第二凸部８２ｂが設けられていない点で押圧プレート８０と異なる。
【００３８】
次に、押圧プレート９０を備えたイジェクト機構４０の作用を図１０を参照して説明する。
カードＣの挿入前の状態では、回動アーム３０のプレート嵌合部３１が最も後方に位置している。そして、プレート嵌合部３１が最も後方に位置することにともなって、押圧プレート９０が、最も後方に位置している。また、このとき、押圧バー６０が後退位置にあり、押圧バー６０に配設されたカムピン６３ａは、図１０（Ａ）に示すように、カム溝板７０のカム溝７１の後方凹部７１ａに位置している。ここで、押圧プレート９０の規制孔８２には、第二凸部８２ｂが設けられていない。したがって、カムピン６３ａは第１直線状部７１ｂへ移動することができる状態となっている。よって、押圧バー６０の前方への押圧が可能となる。そして、押圧バー６０を押圧すると、カムピン６３ａは、第１直線状部７１ｂに沿って、後方凹部７１ａから第２直線状部７１ｃの後端部へと移動する。この状態で押圧バー６０の押圧を中止すると、引張ばね２８の作用により、カムピン６３ａは、第２直線状部７１ｃに沿って、第２直線状部７１ｃの後端部から前側凹部７１ｄへと移動する（図１０（Ｃ）参照）。これにより、押圧バー６０の押圧ボタン６７が、筐体から突出することとなる。すなわち、押圧プレート９０を備えたイジェクト機構４０によれば、カードＣが挿入されていない状態でも、押圧ボタン６７を筐体から突出させることが可能となる。なお、カードコネクタ１が使用される状況によっては、カードＣが挿入されていない状態でも押圧ボタン６７を筐体から突出させることが可能である方が便宜な場合がある。
【００３９】
一方、図１０（Ａ）に示す状態で、カードＣをハウジング１１に挿入すると、カードＣの後端部が回動アーム３０のカード接触部に接触し、図１に示すように、プレート嵌合部３１が前方に移動するように回動アーム３０が回動する。これに伴って、図１０（Ｂ）に示すように、押圧プレート９０が前進する。カードＣのハウジグ１１への挿入が完了すると、コンタクト１６がカードＣと嵌合接触し、カードＣと回路基板１７とが電気的に接続されることになる。
【００４０】
そして、押圧バー６０を押圧すると、カムピン６３ａは、第１直線状部７１ｂに沿って、後方凹部７１ａから第２直線状部７１ｃの後端部へと移動する。この状態で押圧バー６０の押圧を中止すると、引張ばね２８の作用により、カムピン６３ａは、図１０（Ｃ）に示すように、第２直線状部７１ｃに沿って、第２直線状部７１ｃの後端部から前側凹部７１ｄへと移動する。これにより、押圧バー６０の押圧ボタン６７が筐体から突出し、次工程でのカードＣの排出が可能となる。
【００４１】
そして、押圧バー６０を押圧すると、カムピン６３ａは、第３直線状部７１ｅに沿って移動し、カムピン６３ａの側面が、規制孔８２の第一凸部８２ａの前端面に接触する。
さらに、押圧バー６０を押圧すると、図１０（Ｄ）に示すように、カムピン６３ａは、第３直線状部７１ｅの後端部へと移動する。この際、カムピン６３ａの側面が規制孔８２の第一凸部８２ａの前端面を押圧することにより、押圧プレート９０が後方に移動する。そして、押圧プレート９０が後方に移動することにともない、プレート嵌合部３１が後方に移動するように回動アーム３０が回動する。これにより、回動アーム３０のカード接触部が前方に移動してカードＣを押し出すことにより、ハウジング１１へ挿入されたカードＣがやや前方に排出される。
【００４２】
そして、カムピン６３ａが第３直線状部７１ｅの後端部に位置した状態で押圧バー６０の押圧を中止すると、引張ばね２８の作用により、カムピン６３ａは、図１０（Ａ）に示すように、第４直線状部７１ｆに沿って、第３直線状部７１ｅの後端部から後側凹部７１ａへと移動する。
このように、押圧プレート９０を備えたイジェクト機構４０によれば、プッシュ−プッシュ機構を実現することが可能となる。
【００４３】
以上、本発明の実施形態について説明したが、本発明に係るイジェクト機構４０によれば、カム溝板７０に形成されたカム溝７１及び押圧バー６０に配設されたカムピン６３ａからなるカム機構と、カムピン６３ａが挿通される規制孔８２を有し、回動アームを回動させる押圧プレート８０，９０とを備える構成により、量産に適したイジェクト機構を実現することが可能となる。
【００４４】
また、イジェクト機構４０によれば、カム溝７１が形成されたカム溝板７０を独立して備える構成により、ハウジング１１に対する配置を長手方向逆側に容易に変更することが可能となる。
さらに、本発明に係るイジェクト機構４０によれば、押圧プレート８０と押圧プレート９０との交換を行うことのみで、ポップ−プッシュ機構とプッシュ−プッシュ機構との変更を容易に行うことが可能となる。
【図面の簡単な説明】
【００４５】
【図１】本発明に係るイジェクト機構を備えたカードコネクタを示し、（Ａ）は平面図、（Ｂ）は右側面図、（Ｃ）は左側面図、（Ｄ）は正面図である。
【図２】図１に示すカードコネクタに備えられるイジェクト機構の平面図である。
【図３】図２に示すイジェクト機構に備えられるカバー部材を示し、（Ａ）は平面図、（Ｂ）は左側面図である。
【図４】図２に示すイジェクト機構に備えられる押圧バーの本体部を示し、（Ａ）は平面図、（Ｂ）は左側面図である。
【図５】図２に示すイジェクト機構に備えられる押圧バーの連結部を示し、（Ａ）は平面図、（Ｂ）は左側面図である。
【図６】図２に示すイジェクト機構に備えられる押圧バーのカムピン部材の平面図である。
【図７】図２に示すイジェクト機構に備えられるカム溝板を示し、（Ａ）は平面図、（Ｂ）は右側面図である。
【図８】図２に示すイジェクト機構に備えられる押圧プレートを示し、（Ａ）は平面図、（Ｂ）は左側面図である。
【図９】イジェクト機構の動作を示し、（Ａ）はカード挿入前の状態、（Ｂ）はカード挿入後の状態、（Ｃ）はイジェクトボタン押圧ボタンが筐体から突出した状態、（Ｄ）はカードが排出された状態を示している。
【図１０】イジェクト機構の動作を示し、（Ａ）はカード挿入前の状態、（Ｂ）はカード挿入後の状態、（Ｃ）はイジェクトボタン押圧ボタンが筐体から突出した状態、（Ｄ）はカードが排出された状態を示している。
【図１１】特許文献１に係るカードコネクタを示し、（Ａ）は平面図、（Ｂ）は左側面図、（Ｃ）は正面図である。
【図１２】図１１に示すカードコネクタの主要部を示し、（Ａ）は一部平面図、（Ｂ）は一部左側面図、（Ｃ）は押圧バーを取り除いた一部左側面図である。
【符号の説明】
【００４６】
１  カードコネクタ
１０  コネクタ部
１１  ハウジング
Ｃ  カード
１４  各基板実装部
１５  取付ねじ用貫通孔
１６  コンタクト
２０  金属フレーム（フレーム）
２１  平板頂板部
２２  平板底板部
２３  側壁部
Ａ，Ｂ  ダブルスロット
２４  嵌合部
２８  引張ばね
３０  回動アーム
３１プレート嵌合部
４０  イジェクト機構
５０  カバー部材
５１  掛止片
５２  嵌合片
５３  爪部
５４  支持片
６０  押圧バー
６１  本体部
６２  連結部
６３  カムピン部材
６３ａ  カムピン
６３ｂ  嵌合部
６４  挿通孔
６５  掛止片
６６  カムピン嵌合孔
６７  押圧ボタン部
６８  挟持板
６９  連結部
７０  カム溝板
７１  カム溝
７７  嵌合凹部
８０  押圧プレート
８１  嵌合部
８２  規制孔（孔部）
８２ａ  第一凸部
８２ｂ  第二凸部（規制凸部）
９０  押圧プレート
【図１】
2008218007.tif 000003
【図２】
2008218007.tif 000004
【図３】
2008218007.tif 000005
【図４】
2008218007.tif 000006
【図５】
2008218007.tif 000007
【図６】
2008218007.tif 000008
【図７】
2008218007.tif 000009
【図８】
2008218007.tif 000010
【図９】
2008218007.tif 000011
【図１０】
2008218007.tif 000012
【図１１】
2008218007.tif 000013
【図１２】
2008218007.tif 000014